(57)【要約】      （修正有）【課題】Ｕ字溝ブロックの損傷及び脱落を回避しつつ、簡便な操作で安定且つ安全にＵ字溝ブロックを吊上げられる、シンプルなＵ字溝ブロックの吊上げ具を提供する。【解決手段】上端には環状係止部４が設けられ下端には係止棒材５が外方へ向け突設された、形状及び大きさが互いに略同一の第１の弓形板ばね１並びに第２の弓形板ばね２が、それぞれ外方へ反る様にして対向配置され、且つ、第１の弓形板ばね１の短手方向両端から略垂直に延出されたガイド３に軸止部材６が横架され、第２の弓形板ばね２に接合された円筒状部材が、軸止部材６に回動可能に軸止されてなるＵ字溝ブロックの吊上げ具であって、軸止部材６は、ガイド３に略水平に穿設された摺動孔に、摺動自在とされてなる。【選択図】図１
0003142804.tif 000002
【実用新案登録請求の範囲】
【請求項１】
上端には環状係止部が設けられ下端には係止棒材が外方へ向け突設された、形状及び大きさが互いに略同一の第１の弓形板ばね並びに第２の弓形板ばねが、それぞれ外方へ反る様にして対向配置され、且つ、第１の弓形板ばねの短手方向両端から略垂直に延出されたガイドに軸止部材が横架され、第２の弓形板ばねに接合された円筒状部材が、軸止部材に回動可能に軸止されてなることを特徴とするＵ字溝ブロックの吊上げ具。
【請求項２】
軸止部材が、ガイドに略水平に穿設された摺動孔に、摺動自在とされてなることを特徴とする請求項１に記載のＵ字溝ブロックの吊上げ具。
【考案の詳細な説明】
【技術分野】
【０００１】
本考案は、Ｕ字溝ブロックの吊上げ具に関する。
【背景技術】
【０００２】
Ｕ字溝ブロックを吊上げる用具として、Ｕ字溝ブロックの縁部付近を挟持し、又はＵ字溝ブロックの互いに対向する面を押圧して支承するものが知られている。これらは、挟持又は押圧に多大な力を必要とするから、大掛かりな装置を構成する必要がある。壁面に垂直な力を加えてＵ字溝ブロックを支承するから、Ｕ字溝ブロックが脱落し易く、局所的に力が加わることによってＵ字溝ブロックを損傷する虞がある。
【０００３】
Ｕ字溝ブロックに穿設された貫通孔に係止して吊上げる型の用具を用いると、最も安定且つ安全にＵ字溝ブロックを吊上げることができる。例えば、フレームの両端に一対の支持アームを回動可能に吊下支持するとともに、それら支持アームの先端内面に、コンクリート製品の両側外面に設けられた凹所に係脱可能な支持ピンを突設し、かつ、支持アームを垂下させた状態において、前記支持ピンの先端突出部が、支持アームの回動中心を通る垂直面よりも外側に位置するようにしたことを特徴とするコンクリート製品の反転機が開示されている（例えば、特許文献１参照）。
【０００４】
【特許文献１】実開平４−８６６８９号公報
【考案の開示】
【考案が解決しようとする課題】
【０００５】
しかしながら、上記特許文献１に記載のコンクリート製品の反転機は、支持アームが回動可能に吊下支持されていて、しかも支持アームを垂下させた状態において、前記支持ピンの先端突出部が、支持アームの回動中心を通る垂直面よりも外側に位置するようにされているから、当該支持ピンが凹所から外れやすい構造である。そのため、Ｕ字溝ブロックが脱落し易く、危険である。また、前記コンクリート製品の反転機は、多種部材を含む複雑な構造を有していて、容易に作成できない。
【０００６】
上記問題点に鑑み、本考案は、Ｕ字溝ブロックの損傷及び脱落を回避しつつ、簡便な操作で安定且つ安全にＵ字溝ブロックを吊上げられる、シンプルなＵ字溝ブロックの吊上げ具を提供することを課題とする。
【課題を解決するための手段】
【０００７】
上記課題を解決するために、本考案に係るＵ字溝ブロックの吊上げ具は、上端には環状係止部が設けられ下端には係止棒材が外方へ向け突設された、形状及び大きさが互いに略同一の第１の弓形板ばね並びに第２の弓形板ばねが、それぞれ外方へ反る様にして対向配置され、且つ、第１の弓形板ばねの短手方向両端から略垂直に延出されたガイドに軸止部材が横架され、第２の弓形板ばねに接合された円筒状部材が、軸止部材に回動可能に軸止されてなる。
【０００８】
第２の考案は、軸止部材が、ガイドに略水平に穿設された摺動孔に、摺動自在とされてなる上記Ｕ字溝ブロックの吊上げ具である。
【０００９】
係止棒材をＵ字溝ブロックの壁に穿設された貫通孔に嵌入させて係止し、ワイヤロープ，クレーンのフック等を環状係止部に掛けて、本考案及びＵ字溝ブロックを吊上げる。
【考案の効果】
【００１０】
本考案によれば、係止棒材をＵ字溝ブロックの貫通孔に嵌入させて係止し、本考案を吊上げると、板ばねの作用によって係止棒材を外方へ押す力が働き、係止棒材が貫通孔から外れ難くなる。この簡便な操作で安定に係止されるから、Ｕ字溝ブロックは、損傷又は脱落することなく安定且つ安全に保持される。また、本考案は、シンプルな構成であり、少ない部材で容易に作成することが可能である。
【００１１】
Ｕ字溝ブロックを埋設する掘削孔は、一般的に当該ブロックの幅よりも僅かに広くされているのみであり、Ｕ字溝ブロックから大きく突出する部材があると、当該掘削孔にＵ字溝ブロックを直接載置できない。本考案は、Ｕ字溝ブロックの内壁側から貫通孔に係止する構成であり、Ｕ字溝ブロックから大きく突出する部材が存在しないから、当該掘削孔にＵ字溝ブロックを直接載置することが可能である。
【００１２】
第２の考案によれば、第１の弓形板ばね及び第２の弓形板ばねの下端間距離を適宜変えられるから、幅の異なる各種Ｕ字溝ブロックを吊上げることができる。
【考案を実施するための最良の形態】
【００１３】
以下に、本考案を実施するための最良の形態を、実施例を示す図面を参照して詳細に説明する。尚、本実施例に、本考案は限定されるものではない。
【実施例】
【００１４】
図１は、本考案の実施例を示す斜視図である。図２は、第１の弓形板ばね及び第２の弓形板ばねの取付部分を示す要部斜視図である。図３は、第２の弓形板ばねの上端付近を示す要部側方視断面図である。
【００１５】
本考案に係るＵ字溝ブロックの吊上げ具は、図１及び図２に示される様に、上端には環状係止部４，４が設けられ下端には係止棒材５，５が外方へ向け突設された、形状及び大きさが互いに略同一の第１の弓形板ばね１並びに第２の弓形板ばね２が、それぞれ外方へ反る様にして対向配置され、且つ、第１の弓形板ばね１の短手方向両端から略垂直に延出されたガイド３，３に軸止部材６が横架され、第２の弓形板ばね２に接合された円筒状部材２ａが、軸止部材６に回動可能に軸止されてなる。
【００１６】
第１の弓形板ばね１及び第２の弓形板ばね２は、弾性を有する金属で作成されていて、その上端には環状係止部４，４が、下端には外方へ突出する係止棒材５，５が設けられている。第１の弓形板ばね１及び第２の弓形板ばね２の材質は、弾性を有する金属であれば限定されないが、ＳＵＰ３，ＳＵＰ６等のばね鋼又はＳＵＳ６３１，ＳＵＳ６３２等のステンレス鋼が好適に用いられる。また、第１の弓形板ばね１及び第２の弓形板ばね２の曲率は、特に限定されない。
【００１７】
略方形状のガイド３，３が、第１の弓形板ばね１の略中央から延出されて設けられると共に、第２の弓形板ばね２の対応する高さ位置には、円筒状部材２ａが周面を当接する様にして溶接されている。ガイド３，３に穿設された略水平方向の摺動孔３ａ，３ａに軸止部材６が横架されていて、円筒状部材２ａは、軸止部材６に回動可能に軸止されている。
【００１８】
上記の様に構成したので、第２の弓形板ばね２は第１の弓形板ばね１に対して回動可能であって、本考案の下方を閉じるとＵ字溝ブロック７の貫通孔７ａ，７ａに係止棒材５，５を係脱し易く、一方、環状係止部４，４にフック，ワイヤロープ等を掛けて吊上げると、本考案の下方が開く様にされている。更に、軸止部材６が摺動孔３ａ，３ａに摺動自在であるから、第１の弓形板ばね１及び第２の弓形板ばね２の下端間距離を広げ又は狭めることができ、幅の異なる各種Ｕ字溝ブロックに適用可能である。
【００１９】
本実施例の軸止部材６は、図２に示される様に、半螺子ボルト６ａ，ナット６ｂ，及び座金６ｃ，６ｃからなるが、円筒状部材２ａが軸止部材６に回動可能に軸止され且つ軸止部材６が摺動孔３ａ，３ａに摺動自在であれば必ずしもこれに限られず、例えば、軸止部材６が単一の部材として作成されていても良い。また、例えば、摺動孔３ａ，３ａの代わりに円形の孔が穿設され又はガイド３，３に軸止部材６が溶接されることによって、円筒状部材２ａがガイド３，３に、単に回動可能に軸止されていても良い。
【００２０】
また、本実施例のガイド３，３は、略コ字状に曲げられた金属板の中央部が第１の弓形板ばね１に溶接されて設けられているが、ガイド３，３を第１の弓形板ばね１に固設する手段は特に限定されず、例えば、ガイド３，３を形成する２個の鋼材がそれぞれ溶接されていても良く、又は、ガイド３，３が第１の弓形板ばね１と一体として作成されていても良い。
【００２１】
第１の弓形板ばね１の上端及び第２の弓形板ばね２の上端は、図３に示される様に、略円筒形状に曲げられ、螺子シャックルが取付けられて環状係止部４，４が形成されている。環状係止部４，４の形状は必ずしもこれに限られず、例えば、割りピン式シャックル若しくはリベット式シャックルが設けられていても良く、環状の部材が溶接されて設けられていても良く、又は環状係止部４，４が弓形板ばねと一体として作成されていても良い。
【００２２】
係止棒材５，５は略円柱状の部材であり、第１の弓形板ばね１の下端及び第２の弓形板ばね２の下端に突設されている。係止棒材５，５の形状は特に限定されないが、稜を持たずＵ字溝ブロックにクラックを生じ難い略円柱状であることが好ましい。本実施例においては、略円柱状の部材が曲げられて弓形板ばねに溶接されているが、必ずしもこれに限られず、例えば、弓形板ばねの下端付近の穿孔に係止棒材５，５が挿入され溶接されていても良く、弓形板ばねと一体として作成されていても良い。
【図面の簡単な説明】
【００２３】
【図１】本考案の実施例を示す斜視図である。
【図２】第１の弓形板ばね及び第２の弓形板ばねの取付部分を示す要部斜視図である。
【図３】第２の弓形板ばねの上端付近を示す要部側方視断面図である。
【符号の説明】
【００２４】
１  第１の弓形板ばね
２  第２の弓形板ばね
２ａ  円筒状部材
３  ガイド
３ａ  摺動孔
４  環状係止部
５  係止棒材
６  軸止部材
６ａ  半螺子ボルト
６ｂ  ナット
６ｃ  座金
７  Ｕ字溝ブロック
７ａ  貫通孔
【図２】
0003142804.tif 000003
【図３】
0003142804.tif 000004
【図１】
0003142804.tif 000005